(57)【特許請求の範囲】
【請求項１】
コネクタを上方から装着するためのコネクタ収容凹部を有すると共に、該コネクタ収容凹部の近傍に、前記コネクタの上部から上向きに導出されたワイヤハーネスを下方に向けて誘導案内する縦溝部を有した電気接続箱本体と、
前記縦溝部に装着されることで、前記コネクタの上部から導出された前記ワイヤハーネスを下方へ向けて誘導案内し、更にその後、側方へ向けて誘導案内する略半筒形状のワイヤハーネス誘導保持具と、
を具備しており、
前記ワイヤハーネス誘導保持具には、
前記コネクタから導出された前記ワイヤハーネスを下方へ向けて誘導案内する縦方向案内部と、該縦方向案内部の下端に屈曲部を介して連続し且つ前記ワイヤハーネスを側方へ向けて誘導案内する横方向案内部と、が設けられ、
前記縦方向案内部の上端の、前記横方向案内部による前記ワイヤハーネスの誘導案内方向とは反対側の位置には、
前記ワイヤハーネスを湾曲させながら前記横方向案内部により側方へ向けて誘導案内した際の当該ワイヤハーネスの弾性復元力によって、前記縦方向案内部内の前記ワイヤハーネスの部分が前記コネクタの方に倒れるのを規制する規制壁が設けられていることを特徴とする電気接続箱。
【請求項２】
前記横方向案内部が、
下面開放の略半筒形のガイド壁により構成され、該ガイド壁の下面側に配された前記ワイヤハーネスと共にテープ巻きされることにより、前記ワイヤハーネスを強制的に側方へ誘導案内するものであることを特徴とする請求項１に記載した電気接続箱。
【請求項３】
前記縦方向案内部が、
前記屈曲部の内周壁を介して前記横方向案内部の上面部に連なり且つ前記ワイヤハーネス誘導保持具が前記電気接続箱本体の縦溝部に装着された際に該縦溝部の側面開口を塞ぐ背面壁と、該背面壁の両側縁に略直角に交わると共に前記屈曲部の側壁を介して前記横方向案内部の両側面部に連なる一対の側壁と、を有すると共に、前記背面壁に対向する面が開放した断面コ字形をなしており、
前記一対の側壁のうちの一方の側壁の側縁に連続して、前記開放した面の少なくとも上端部を塞ぐように、前記規制壁が設けられると共に、
前記一対の側壁のうちの他方の側壁に、該他方の側壁と前記規制壁との間を通して、前記縦方向案内部の内側空間に前記ワイヤハーネスを挿入するための切欠が設けられていることを特徴とする請求項２に記載した電気接続箱。
【請求項４】
前記縦溝部の内周に、前記ワイヤハーネス誘導保持具を上方からスライド装着することを可能にするスライド係合部が設けられていることを特徴とする請求項１〜３のいずれか一項に記載した電気接続箱。
【発明の詳細な説明】
【技術分野】
【０００１】
本発明は、例えば自動車等の車両に用いられる例えばリレー・ボックス、ヒューズ・ボックス、電子制御ユニット・ボックス、等といった電気接続箱（即ち、エレクトリック・ジャンクション・ブロック）に係り、特に、コネクタから導出されたワイヤハーネスの外部への誘導方向を規定するワイヤハーネス誘導保持具を備えた電気接続箱に関する。
【背景技術】
【０００２】
自動車等の電装品に接続される電気接続箱には、多数のワイヤハーネスが配索されており、これらは電気接続箱内に収容されるコネクタに集中して接続されている。
【０００３】
コネクタを電気接続箱の本体に上方から装着する場合、ワイヤハーネスはコネクタの上部から上向きに導出されることになるので、そのワイヤハーネスを電気接続箱の下方へ向けて引き延ばす必要がある場合には、電気接続箱本体に、例えば、ワイヤハーネスを下方へ向けて誘導案内するワイヤハーネス誘導保持具を装着している。
【０００４】
従来では、コネクタから導出されたワイヤハーネスを下方へ誘導案内するワイヤハーネス誘導保持具を使用する場合には、ワイヤハーネス誘導保持具の上端に、ワイヤハーネスをテープ巻きして保持するためのワイヤハーネス保持片を設けて、ワイヤハーネスと共にテープ巻きした上で、ワイヤハーネス誘導保持具を電気接続箱本体に装着するようにしている。このようにすれば、ワイヤハーネスが無理な曲がり方をせずに配索されるようにもなる（特許文献１参照）。
【０００５】
【特許文献１】特開平８−８８９２０号公報（図１、図３）
【発明の開示】
【発明が解決しようとする課題】
【０００６】
ところで、ワイヤハーネスをテープ巻きにより保持する場合は、ワイヤハーネスの組み付け作業がそれだけ面倒になるため、できるだけテープ巻き箇所を減らしたいという要望が強い。
【０００７】
本発明は、上述した事情に鑑みてなされたものであり、その目的は、テープ巻き箇所をできるだけ省略しながら、スムーズにワイヤハーネス誘導保持具を電気接続箱本体に装着することができ、しかも無理な曲げ方をせずに、ワイヤハーネスを所定の経路に沿って誘導案内できるようにした電気接続箱を提供することにある。
【課題を解決するための手段】
【０００８】
前述した目的を達成するために、本発明に係る電気接続箱は、下記（１）〜（４）を特徴としている。
（１）  コネクタを上方から装着するためのコネクタ収容凹部を有すると共に、該コネクタ収容凹部の近傍に、前記コネクタの上部から上向きに導出されたワイヤハーネスを下方に向けて誘導案内する縦溝部を有した電気接続箱本体と、
前記縦溝部に装着されることで、前記コネクタの上部から導出された前記ワイヤハーネスを下方へ向けて誘導案内し、更にその後、側方へ向けて誘導案内する略半筒形状のワイヤハーネス誘導保持具と、
を具備しており、
前記ワイヤハーネス誘導保持具には、
前記コネクタから導出された前記ワイヤハーネスを下方へ向けて誘導案内する縦方向案内部と、該縦方向案内部の下端に屈曲部を介して連続し且つ前記ワイヤハーネスを側方へ向けて誘導案内する横方向案内部と、が設けられ、
前記縦方向案内部の上端の、前記横方向案内部による前記ワイヤハーネスの誘導案内方向とは反対側の位置には、
前記ワイヤハーネスを湾曲させながら前記横方向案内部により側方へ向けて誘導案内した際の当該ワイヤハーネスの弾性復元力によって、前記縦方向案内部内の前記ワイヤハーネスの部分が前記コネクタの方に倒れるのを規制する規制壁が設けられていること。
（２）上記（１）の構成の電気接続箱において、
前記横方向案内部が、
下面開放の略半筒形のガイド壁により構成され、該ガイド壁の下面側に配された前記ワイヤハーネスと共にテープ巻きされることにより、前記ワイヤハーネスを強制的に側方へ誘導案内するものであること。
（３）上記（２）の構成の電気接続箱において、
前記縦方向案内部が、
前記屈曲部の内周壁を介して前記横方向案内部の上面部に連なり且つ前記ワイヤハーネス誘導保持具が前記電気接続箱本体の縦溝部に装着された際に該縦溝部の側面開口を塞ぐ背面壁と、該背面壁の両側縁に略直角に交わると共に前記屈曲部の側壁を介して前記横方向案内部の両側面部に連なる一対の側壁と、を有すると共に、前記背面壁に対向する面が開放した断面コ字形をなしており、
前記一対の側壁のうちの一方の側壁の側縁に連続して、前記開放した面の少なくとも上端部を塞ぐように、前記規制壁が設けられると共に、
前記一対の側壁のうちの他方の側壁に、該他方の側壁と前記規制壁との間を通して、前記縦方向案内部の内側空間に前記ワイヤハーネスを挿入するための切欠が設けられていること。
（４）上記（１）〜（３）のいずれかの構成の電気接続箱において、
前記縦溝部の内周に、前記ワイヤハーネス誘導保持具を上方からスライド装着することを可能にするスライド係合部が設けられていること。
【０００９】
上記（１）の構成の電気接続箱によれば、ワイヤハーネス誘導保持具の縦方向案内部の上端に、ワイヤハーネスの方向を規制するための規制壁を設けているので、ワイヤハーネスを強制的に湾曲させて所定方向に引き出すように配索した際のワイヤハーネスの弾性復元作用によって、ワイヤハーネスがコネクタの方に倒れるのを規制することができ、ワイヤハーネスの上端をテープ巻きして拘束しないでも、倒れたワイヤハーネスに邪魔されることなく、スムーズにワイヤハーネス誘導保持具を電気接続箱本体の縦溝部に装着することができる。また、前記規制壁の働きにより、無理のない経路でワイヤハーネスを誘導案内することができるので、ワイヤハーネスに余計な負担を掛けることがない。従って、ワイヤハーネスの上端をテープ巻きして止めるという面倒な作業を省略できる分、組み付け工数の削減が図れる。
上記（２）の構成の電気接続箱によれば、縦方向案内部に通したワイヤハーネスを、下側から横方向案内部の下面に沿わせ、その状態で横方向案内部と共にテープ巻きすることにより、ワイヤハーネスを強制的に湾曲させながら、側方へ向けて誘導案内することができる。
上記（３）の構成の電気接続箱によれば、断面コ字形の縦方向案内部の上端部に規制壁を設け、規制壁で塞いだ代わりに側壁に切欠を設けたので、ワイヤハーネスを切欠を通して縦方向案内部に簡単に通すことができるし、そのワイヤハーネスの方向を規制壁で規制することができる。
上記（４）の構成の電気接続箱によれば、上からワイヤハーネス誘導保持具をスライドさせるだけで、電気接続箱本体にワイヤハーネス誘導保持具を簡単に装着することができる。
【発明の効果】
【００１０】
本発明によれば、テープ巻き箇所をできるだけ省略しながら、スムーズにワイヤハーネス誘導保持具を電気接続箱本体に装着することができ、しかも無理な曲げ方をせずに、ワイヤハーネスを所定の経路に沿って容易に誘導案内することができる。その上、本発明によれば、テープ巻き箇所の削減により、テープ（材料）の削減ができ、よって解体も、し易くなる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図面に基づいて詳細に説明する。図１は実施形態の電気接続箱のワイヤハーネス装着前の状態を示す斜視図、そして図２は電気接続箱本体に装着するワイヤハーネス誘導保持具の単体の構成を示す斜視図である。
【００１３】
図１に示すように、この電気接続箱は、電気接続箱本体１０と、該電気接続箱本体１０に組み付けられたリレー２１、ヒューズ２２、コネクタ２３等の電気部品と、ワイヤハーネス誘導保持具３０と、電気接続箱本体１０の上に被せられる上カバー（不図示）と、から構成されている。
【００１４】
電気接続箱本体１０は、コネクタ２３を上方から装着するためのコネクタ収容凹部１３を有すると共に、該コネクタ収容凹部１３の近傍に、コネクタ２３の上部から上向きに導出されたワイヤハーネスＷを下方に向けて誘導案内する縦溝部１５を有している。
【００１５】
コネクタ２３の上部から上向きに導出されたワイヤハーネスＷは、まず、ワイヤハーネスＷの延長方向の途中に位置する縦溝部１５に向けて、矢印Ｙ１で示す側方に延ばされ、その後、縦溝部１５を通ることで、矢印Ｙ２で示す下方へ向けて誘導案内され、更にその後、矢印Ｙ３で示す側方（即ち、ワイヤハーネスＷの延長方向）へ誘導案内される。
【００１６】
そのために、縦溝部１５にワイヤハーネス誘導保持具３０が装着されている。即ち、このワイヤハーネス誘導保持具３０は、電気接続箱本体１０の縦溝部１５に装着されることで、コネクタ２３の上部から導出されたワイヤハーネスＷを下方へ向けて誘導案内し、更にその後、側方へ向けて誘導案内する略半筒形状の部材である。
【００１７】
このワイヤハーネス誘導保持具３０には、図２にも示すように、コネクタ２３から導出されたワイヤハーネスＷを下方へ向けて誘導案内する縦方向案内部３１と、該縦方向案内部３１の下端に屈曲部３７を介して連続し且つワイヤハーネスＷを側方へ向けて誘導案内する横方向案内部３２と、が設けられている。
【００１８】
横方向案内部３２は、下面開放の略半筒形のガイド壁３２ａにより構成され、該ガイド壁３２ａの下面側に配されたワイヤハーネスＷと共にテープ（より詳細には、粘着テープ）Ｔで巻き付けられることにより、ワイヤハーネスＷを強制的に側方（即ち、矢印Ｙ３方向）へ誘導案内するものである。
【００１９】
縦方向案内部３１の上端の、横方向案内部３２によるワイヤハーネスＷの誘導案内方向（即ち、矢印Ｙ３方向）とは反対側の位置には、ワイヤハーネスＷを湾曲させながら横方向案内部３２により側方（即ち、矢印Ｙ３方向）へ向けて誘導案内した際の当該ワイヤハーネスＷの弾性復元力によって、縦方向案内部３１内のワイヤハーネスＷがコネクタ２３方向に倒れるのを規制する規制壁３３が設けられている。
【００２０】
縦方向案内部３１は、屈曲部３７の内周壁を介して横方向案内部３２の上面部に連なり且つワイヤハーネス誘導保持具３０が電気接続箱本体１０の縦溝部１５に装着された際に縦溝部１５の側面開口を塞ぐ背面壁３１ａと、該背面壁３１ａの両側縁に略直角に交わると共に屈曲部３７の側壁を介して横方向案内部３２の両側面部に連なる一対の側壁３１ｂ、３１ｃとを有すると共に、背面壁３１ａに対向する面が開放した断面コ字形をなしている。
【００２１】
そして、前記一対の側壁３１ｂ、３１ｃのうちの一方の側壁３１ｂの側縁に連続して、前記開放した面の少なくとも上端部を塞ぐように前記規制壁３３が設けられると共に、前記一対の側壁３１ｂ、３１ｃのうちの他方の側壁３１ｃに、該側壁３１ｃと前記規制壁３３との間を通して、縦方向案内部３１の内側空間にワイヤハーネスＷを挿入するための切欠３４が設けられている。
【００２２】
このように構成されることで、ワイヤハーネス誘導保持具３０の内部にワイヤハーネスＷの配索経路３５が確保されている。また、ワイヤハーネス誘導保持具３０の縦方向案内部３１の外周部と、電気接続箱本体１０の縦溝部１５の内周部には、ワイヤハーネス誘導保持具３０を上方からスライド装着することを可能にするスライド係合部３８、３９、１８、１９が設けられている。
【００２３】
次に作用を説明する。この電気接続箱にワイヤハーネスＷを配索する場合は、予め、コネクタ２３から延びるワイヤハーネスＷにワイヤハーネス誘導保持具３０をセットしておく。即ち、ワイヤハーネスＷを、切欠３４を利用してワイヤハーネス誘導保持具３０の内部に通し、屈曲部３７に沿って湾曲させながら、ワイヤハーネスＷを横方向案内部３２の下面に沿わせ、横方向案内部３２の一端部にテープＴで止めておく（即ち、固定しておく）。
【００２４】
次にその状態で、コネクタ２３を電気接続箱本体１０のコネクタ収容凹部１３に装着すると共に、ワイヤハーネス誘導保持具３０を、縦溝部１５に上からスライドさせて装着固定する。このようにセットする際に、ワイヤハーネスＷは、ワイヤハーネス誘導保持具３０の内部で強制的に湾曲させている関係から、その上端が、図１中の矢印Ａで示す方向、つまり、コネクタ２３の方向に弾性復元力により倒れようとする。
【００２５】
そのまま倒れると、ワイヤハーネスＷがワイヤハーネス誘導保持具３０からはみ出して邪魔になってしまうため、縦溝部１５へのワイヤハーネス誘導保持具３０の装着がスムーズにできなくなる。また、装着後に、ワイヤハーネスＷが、コネクタ２３とワイヤハーネス誘導保持具３０との間で無理な曲がり方をしてしまう上に、ワイヤハーネスＷの保持が不安定になる可能性があるため、ワイヤハーネスＷの配索上、好ましくない。従来では、そのようなワイヤハーネスＷの倒れや無理な曲がりを防止するために、テープ巻き用の保持片を背面壁３１ａに延設し、ワイヤハーネスＷを保持片と共にテープ巻きすることで、ワイヤハーネスＷの方向を規制するようにしていた。
【００２６】
それに対し、この電気接続箱では、ワイヤハーネス誘導保持具３０の縦方向案内部３１の上端のワイヤハーネスＷの倒れる側に、ワイヤハーネスＷの方向を規制するための規制壁３３を設けている。そのため、ワイヤハーネスＷを横方向案内部３２により強制的に湾曲させて所定方向に引き出すように配索した際のワイヤハーネスＷの弾性復元作用によって、ワイヤハーネスＷがコネクタ２３側に倒れるのを規制することができ、ワイヤハーネスの上端をテープ巻きして拘束しないでも、倒れたワイヤハーネスに邪魔されることなく、スムーズにワイヤハーネス誘導保持具３０を電気接続箱本体１０の縦溝部１５に装着することができる。また、前記規制壁３３の働きにより、無理のない経路でワイヤハーネスＷを誘導案内することができるので、ワイヤハーネスＷに余計な負担を掛けることがない。従って、ワイヤハーネスＷの上端をテープ巻きして止めるという面倒な作業を省略できる分、組み付け工数の削減が図れる。
【００２７】
また、上記構成の電気接続箱によれば、縦方向案内部３１に通したワイヤハーネスＷを下側から横方向案内部３２の下面に沿わせて、その状態で横方向案内部３２と共にテープ巻きすることにより、簡単に、ワイヤハーネスＷを強制的に湾曲させながら、側方へ向けて誘導案内することができる。
【００２８】
また、上記構成の電気接続箱によれば、断面コ字形の縦方向案内部３１の上端部に規制壁３３を設け、規制壁３３で塞いだ代わりに側壁３１ｃに切欠３４を設けたので、ワイヤハーネスＷを切欠３４を通して縦方向案内部３１に簡単に通すことができるし、そのワイヤハーネスＷの方向を規制壁３３で規制することができる。
【００２９】
また、上記構成の電気接続箱によれば、上からワイヤハーネス誘導保持具３０をスライドさせるだけで、簡単に電気接続箱本体１０にワイヤハーネス誘導保持具３０を装着することができる。
【００３０】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３１】
【図１】本発明の実施形態の電気接続箱のワイヤハーネス装着前の状態を示す斜視図である。
【図２】同電気接続箱に使用するワイヤハーネス誘導保持具の単体の構成を示す斜視図である。
【符号の説明】
【００３２】
１０：電気接続箱本体
１３：コネクタ収容凹部
１５：縦溝部
１８，１９，３８，３９：スライド係合部
２３：コネクタ
３０：ワイヤハーネス誘導保持具
３１：縦方向案内部
３１ａ：背面壁
３１ｂ，３１ｃ：側壁
３２：横方向案内部
３２ａ：ガイド壁
３３：規制壁
３４：切欠
３７：屈曲部
Ｗ：ワイヤハーネス
Ｔ：テープ
【図１】
0005024944.tif 000002
【図２】
0005024944.tif 000003